(57)【特許請求の範囲】
【請求項１】
ブラスト用ノズル（２）を異形管（Ｗ）内に挿入し、前記ブラスト用ノズル（２）からブラスト材を噴出して異形管（Ｗ）内をブラスト処理する際、そのブラスト処理する異形管（Ｗ）が、受口部（１０）、挿し口部（１１）及び前記受口部（１０）と挿し口部（１１）の間の屈曲した筒状中間部とからなる曲管であって、その異形管（Ｗ）を支持する治具（Ｐ）において、
回転テーブル（２０）上に、上記異形管（Ｗ）の受口部（１０）の支持部材（２１）と、挿し口部（１１）の支持部材（２２）と、前記受口部（１０）と挿し口部（１１）の間の屈曲した筒状中間部の支持部材（２３）とを回転テーブル（２０）の径方向に沿って設けるとともに、前記受口部（１０）、挿し口部（１１）及び筒状中間部の各支持部材（２１、２２、２３）に載った異形管（Ｗ）をその異形管（Ｗ）の上面から押さえて前記各支持部材（２１、２２、２３）に固定する部材（２５）を設け、
上記受口部（１０）の支持部材（２１）は前記受口部（１０）が上方から嵌まるＶ字状凹部（２４）を形成したものであり、上記挿し口部（１１）の支持部材（２２）は、前記挿し口部（１１）が上方から嵌まる凹部を有するとともに回転テーブル（２０）の周方向に異形管（Ｗ）の上記筒状中間部の屈曲度合に応じて移動可能かつ固定可能となっており、前記受口部（１０）と挿し口部（１１）をその受口部（１０）と挿し口部（１１）の支持部材（２１、２２）で支持した際、受口部（１０）と挿し口部（１１）の軸心は同一高さになるようになっており、かつ、前記筒状中間部の支持部材（２３）は異形管（Ｗ）が上方から当接して、その支持部材（２３）と異形管（Ｗ）の当接位置の高さは前記異形管（Ｗ）の筒状中間部の軸心高さが前記受口部（１０）と挿し口部（１１）の軸心高さと同一となるようになっている異形管ブラスト用治具。
【発明の詳細な説明】
【０００１】
【発明の属する技術分野】
この発明は、配管用異形管内面をブラスト処理する際のその異形管の支持（固定）治具に関するものである。
【０００２】
【従来の技術】
水道等の配管をするのに地中に埋没するダクタイル鋳鉄管があり、このダクタイル鋳鉄管を繋ぎ合わせる継手として異形管がある。この異形管は、例えば図５に示すように、受口部１０、挿し口部１１及びその受口部１０と挿し口部１１の間の屈曲した筒状中間部とからなる態様をしており、その内面には防食等のために塗装が施され、その前処理としてブラスト処理が行われる。このブラスト処理は、一般に、ブラスト用ノズルを異形管内に挿入し、そのノズルから、通称、グリットと呼ばれる鋼球を半分に切断した等のブラスト材を噴出して行う（実施例参照）。
【０００３】
このとき、その異形管Ｗを支持固定する治具が必要であり、従来では、その専用治具を各種の異形管Ｗそれぞれに対し製作していた。
【０００４】
【発明が解決しようとする課題】
異形管Ｗは、呼び径（ｍｍ）で、１００、１５０、２００、２５０の４種類、形状で、ストレート、９０度屈曲、４５度屈曲、２２．５度屈曲、１１．２５度屈曲、５．６２５屈曲の６種類、構造で、ＮＳ型、ＳII型、Ａ型、Ｋ型などの数種類あり、それらの各種異形管Ｗにそれぞれ対応した専用支持治具は非常に数の多いものとなっていた。また、その各種異形管Ｗのブラスト処理毎に治具交換をしなければならず、その交換作業が煩わしいものとなっていた。
【０００５】
この発明は、一の治具でもって、各種の異形管を支持固定できるようにすることを課題とする。
【０００６】
【課題を解決するための手段】
上記課題を達成するために、この発明は、まず、回転テーブル上で支持するようにしたのである。ブラスト用ノズルは異形管内に真直ぐに挿入されるため、異形管が曲管の場合、回転テーブルを回して、異形管の受口部と挿し口部をそれぞれノズルに対向させてその挿入を円滑にし得るようにするためである。
【０００７】
つぎに、この発明は、異形管の受口部、挿し口部及びその中間部の下面を支持部材上に載せ、その異形管を上面から押さえて固定支持するようにしたのである。曲管にあっては、中間部を支持しないと、中間部が下方に回転して、管軸が水平面上に位置され得ないからである。このとき、３点支持部は、管軸が水平になるように設定するとともに、回転テーブルの径方向上として、テーブルが回っても、受口部と挿し口部の軸心がテーブル径方向にあって、ノズルが挿入可能とする。また、受口部と挿し口部の支持は、嵌め合いとして転がらないようにする。
【０００８】
【発明の実施の形態】
この発明の実施形態としては、ブラスト用ノズルを異形管内に挿入し、前記ブラスト用ノズルからブラスト材を噴出して異形管内をブラスト処理する際、そのブラスト処理する異形管が、受口部、挿し口部及び前記受口部と挿し口部の間の屈曲した筒状中間部とからなる曲管であって、その異形管を支持する治具において、回転テーブル上に、前記異形管の受口部の支持部材と、挿し口部の支持部材と、前記受口部と挿し口部の間の屈曲した筒状中間部の支持部材とを回転テーブルの径方向に沿って設けるとともに、前記受口部、挿し口部及び筒状中間部の各支持部材に載った異形管をその異形管の上面から押さえて前記各支持部材に固定する部材を設け、前記受口部の支持部材は前記受口部が上方から嵌まるＶ字状凹部を形成したものであり、前記挿し口部の支持部材は、前記挿し口部が上方から嵌まる凹部を有するとともに回転テーブルの周方向に異形管の前記筒状中間部の屈曲度合に応じて移動可能かつ固定可能となっており、前記受口部と挿し口部をその受口部と挿し口部の支持部材で支持した際、受口部と挿し口部の軸心は同一高さになるようになっており、かつ、前記筒状中間部の支持部材は異形管が上方から当接して、その支持部材と異形管の当接位置の高さは前記異形管の筒状中間部の軸心高さが前記受口部と挿し口部の軸心高さと同一となるようになっている構成を採用し得る。
【０００９】
この構成の異形管ブラスト用治具は、受口部及び挿し口部が凹部に嵌まっているため、異形管が転がらず、その管軸が水平に支持される。このため、ノズルを水平に挿入し得る。押さえ部材には、チェーン、剛性紐などの強靱なものを使用する。挿し口部の支持部材はテーブルの周方向に適宜に移動させて、異形管が曲管の場合、受口部に対する挿し口部の屈曲度に対応させる。
【００１０】
【実施例】
この実施例は、図１に示すブラスト装置に使用され、その装置は、ターンテーブル１上にこの実施例の治具Ｐが中心対称に位置され、テーブル１の回転により、治具Ｐがブラスト位置Ａと交換位置Ｂに交互に位置される。ブラスト位置Ａでは、ノズル２が矢印方向に進退して異形管Ｗに挿入されてブラスト作用が行われる。また、治具Ｐが、４５度屈曲の異形管の場合は１３５度等と異形管Ｗの種類に応じて適宜に回転することにより、異形管Ｗの受口部１０と挿し口部１１が交互にノズル２に対向する。交換位置Ｂでは、作業者がブラスト加工済の異形管Ｗと未処理の異形管Ｗを交換する。この交換作業はロボットによって行うこともできる。図中、３は交換位置Ｂを隔離する隔壁である。
【００１１】
治具Ｐを図２に示し、回転テーブル２０上に、受口部１０の支持部材２１と、挿し口部１１の支持部材２２と、その中間部の支持部材２３がテーブル径方向に順々に固定されている。受口部用支持部材２１は、２個のブロック２１ａ、２１ａから成り、両ブロック２１ａ、２１ａには１２０度の開脚度のＶ字状凹部２４が形成され、図４に示すように、呼び径の異なる異形管Ｐ1 、Ｐ2 、Ｐ3 、Ｐ4 の受口部が載置される。なお、両ブロック２１ａ、２１ａに段差があるのは、受口部の外径変化に適宜に対応するためである。図中、各管の呼び径（ｍｍ）は、Ｐ1 ：２５０、Ｐ2 ：２００、Ｐ3 ：１５０、Ｐ4 ：１００であり、支持部材２１に載置した状態ではその下面の高さに大きな差がなく、ノズル２の挿入に支障がないことがわかる。
【００１２】
挿し口部用支持部材２２は、テーブル２０に固定の円弧状部材２２ａ上に上向きコ字状の部材２２ｂをその下面の杆を部材２２ａの穴２２ｃに嵌めて止めたものであり、そのコ字状部材２２ｂの凹部に挿し口部１１を嵌めて支持する。コ字状部材２２ｂは、異形管Ｐの屈曲度に応じて部材２２ａ上を動かし、受口部１０が常に一定の方向に向いて支持されるようにする。異形管Ｗの種類が特定されておれば、コ字状部材２２ｂの位置も特定されるため、その位置に嵌め止めし得るように、部材２２ａに穴２２ｃを形成しておく。コ字状部材２２ｂの支持高さは異形管Ｗの挿し口部１１の軸心が、受口部１０の軸心と同一高さとなるようにする。この支持高さも異形管Ｗの種類によってはあまり変化せず、また、上述のように、支持部材２１による受口部１０の高さは異形管Ｗの種類によってあまり変化しないため、異形管Ｗの種類が変わっても、受口部１０と挿し口部１１は、ノズル２の挿入に支障がない範囲内であるその軸心が同一の高さに支持される。
【００１３】
中間支持部材２３は、長方体ブロックから成り、その高さは、異形管Ｗの中間部の軸心高さが受口部１０と挿し口部１１の軸心高さと同一となるように設定する。例えば、支持する各異形管Ｗの中間高さとする。上述のように、呼び径変化による支持下面の変化は少ないため、その中間高さであれば、各異形管Ｗを水平に支持し得るからである。
【００１４】
中間支持部材２３の両側方には、固定部材となるチェーン２５の係止具２６、２７が設けられ、一方の係止具２６はテーブル周方向に２個設けられている。この係止具２６の選択により、チェーン２５の最も好ましい掛け具合の方向を決定する。他方の係止具２７は、係止杆２７ａが３本あって、異形管Ｗの径に対応してチェーン２５のフック２５ａを係止する杆２７ａを選択する。チェーン２５にはコイルばね（図示せず）を介設し、その付勢力により、異形管Ｗの押圧力を得る。そのばねはカバー２８で保護する。
【００１５】
この実施例は以上の構成であり、図３に示すように、異形管Ｐを各支持部材２１、２２、２３、２５で支持し、作業者がスタートボタンを押すと、図１のターンテーブル１が回転してブラスト位置Ａに送り込まれ、ノズル２が異形管Ｗ内に挿入されてブラスト処理が自動的に行われる。その挿入時、異形管Ｗにノズル２が接触しないように、ノズル２には細いものを使用する。
【００１６】
【発明の効果】
この発明は、以上のように構成して、異形管ブラスト用専用治具としたので、各種の異形管を円滑に支持固定でき、その作業も円滑である。
【図面の簡単な説明】
【図１】異形管のブラスト作用図
【図２】一実施例の斜視図
【図３】同実施例による異形管の支持態様斜視図
【図４】同支持作用図
【図５】一異形管の断面図
【符号の説明】
Ａ  ブラスト位置
Ｂ  交換位置
Ｐ  治具
Ｗ  異形管
１  ターンテーブル
２  ブラストノズル
１０  受口部
１１  挿し口部
２０  回転テーブル
２１  受口部用支持部材
２２  挿し口部用支持部材
２２ｂ  コ字状部材
２３  中間支持部材
２４  Ｖ字状凹部
２５  固定部材（チェーン）
２６、２７  係止具
【図１】
0003694633.tif 000002
【図２】
0003694633.tif 000003
【図３】
0003694633.tif 000004
【図４】
0003694633.tif 000005
【図５】
0003694633.tif 000006